(57)【要約】  塗布・現像装置は、塗布液に対してレーザ光を照射し、該レーザ光の変化に基づき塗布液の状態を取得する第１レーザユニットと、流路における、第１レーザユニットから塗布液にレーザ光が照射される箇所よりも液ボトル側の塗布液に基づき、第１レーザユニットによる塗布液へのレーザ光の照射可否を決定する照射可否決定機構と、を備え、照射可否決定機構は、塗布液の色情報を取得する第２レーザユニットと、コントローラと、を有し、コントローラは、塗布液の色情報が、第１レーザユニットによって照射される光の波長を吸収し易い所定の色情報であるか否かを判定することと、判定結果に基づき塗布液へのレーザ光の照射可否を決定することと、を実行するように構成されている。
2019131226.tif 000002
【特許請求の範囲】
【請求項１】
流路を流れる基板の処理液に対して光を照射し、該光の変化に基づき前記処理液の状態を取得する光学測定機構と、
前記流路における、前記光学測定機構から前記処理液に光が照射される箇所よりも前記処理液の供給源側の前記処理液に基づき、前記光学測定機構による前記処理液への光の照射可否を決定する照射可否決定機構と、を備え、
前記照射可否決定機構は、
前記処理液の色情報を取得する色情報取得機構と、
制御部と、を有し、
前記制御部は、
前記処理液の色情報が、前記光学測定機構によって照射される光の波長を吸収し易い所定の色情報であるか否かを判定することと、
判定結果に基づき前記処理液への光の照射可否を決定し該照射可否を示す情報を出力することと、を実行するように構成されている、基板処理装置。
【請求項２】
前記色情報取得機構は、測色計又は撮像装置を有する、請求項１記載の基板処理装置。
【請求項３】
前記色情報取得機構は、前記光学測定機構から前記処理液に照射される光の波長と近似する波長の判別用光を前記処理液に照射する照射部を有し、
前記制御部は、前記照射部によって前記処理液に照射された前記判別用光が前記処理液において一定以上吸収された場合に、前記処理液の色情報が、前記光学測定機構によって照射される光の波長を吸収し易い所定の色情報であると判定する、請求項１記載の基板処理装置。
【請求項４】
前記照射部は、前記判別用光として、前記光学測定機構から前記処理液に照射される光よりも長波長の光を照射する、請求項３記載の基板処理装置。
【請求項５】
前記色情報取得機構は、前記光学測定機構から前記処理液に照射される光よりも照射強度が低い判別用光を前記処理液に照射する照射部を有する、請求項３又は４記載の基板処理装置。
【請求項６】
前記照射部は、複数パターンの波長の前記判別用光を前記処理液に照射する、請求項３〜５のいずれか一項記載の基板処理装置。
【請求項７】
前記制御部は、前記処理液への光の照射が不可であると決定した場合において、前記照射可否を示す情報として、処理液の色が異常である旨を示す警告、及び、処理中の基板を特定する情報を出力する、請求項１〜６のいずれか一項記載の基板処理装置。
【請求項８】
前記制御部は、前記処理液への光の照射が不可であると決定した場合において、光学測定機構による光の出力を遮断する遮断制御、新たな基板の搬入を停止する搬入停止制御、前記流路への前記処理液の送液を停止する送液停止制御、及び、前記流路を流れる前記処理液を廃棄する排液制御の少なくともいずれか一つを更に実行するように構成されている、請求項１〜７のいずれか一項記載の基板処理装置。
【請求項９】
流路を流れる基板の処理液の色情報を取得することと、
前記処理液の色情報が、光学測定機構から前記処理液に対して照射される光の波長を吸収し易い所定の色情報であるか否かを判定することと、
前記所定の色情報でないと判定された場合にのみ、前記光学測定機構から前記処理液に対して光を照射し、該光の変化に基づき前記処理液の状態を取得することと、を含む基板処理方法。
【請求項１０】
前記処理液の色情報を取得することは、前記光学測定機構から前記処理液に照射される光の波長と近似する波長の判別用光を前記処理液に照射することによって行われ、
前記所定の色情報であるか否かを判定することは、前記判別用光が前記処理液において一定以上吸収された場合に、前記処理液の色情報が前記所定の色情報であると判定することによって行われる、請求項９記載の基板処理方法。
【請求項１１】
請求項９又は１０に記載の方法を基板処理機構に実行させるためのプログラムを記録した、コンピュータ読み取り可能な記録媒体。
【発明の詳細な説明】
【技術分野】
【０００１】
本開示は、基板処理装置、基板処理方法、及びコンピュータ読み取り可能な記録媒体に関する。
【背景技術】
【０００２】
特許文献１には、基板に供給される処理液に含まれる微小な異物（パーティクル又は気泡等）を検出する構成として、流路を流れる処理液に対してレーザ光を照射すると共に照射されたレーザ光に応じて受光素子から出力される信号を取得し、該信号に基づいて異物の数、大きさ、及び種別の判別を行うことが記載されている。
【先行技術文献】
【特許文献】
【０００３】
【特許文献１】特開２０１６−２２５５７４号公報
【発明の概要】
【発明が解決しようとする課題】
【０００４】
ここで、処理液に照射される光の波長帯と処理液の色との組み合わせによっては、処理液が光を吸収することにより処理液が変質する（薬液変性を行う）おそれがある。【０００５】
そこで、本開示は、処理液に対して光を照射する構成において、処理液が変質することを適切に防止することが可能な基板処理装置、基板処理方法、及びコンピュータ読み取り可能な記録媒体を説明する。
【課題を解決するための手段】
【０００６】
本開示の一態様に係る基板処理装置は、流路を流れる基板の処理液に対して光を照射し、該光の変化に基づき処理液の状態を取得する光学測定機構と、流路における、光学測定機構から処理液に光が照射される箇所よりも処理液の供給源側の処理液に基づき、光学測定機構による処理液への光の照射可否を決定する照射可否決定機構と、を備え、照射可否決定機構は、処理液の色情報を取得する色情報取得機構と、制御部と、を有し、制御部は、処理液の色情報が、光学測定機構によって照射される光の波長を吸収し易い所定の色情報であるか否かを判定することと、判定結果に基づき処理液への光の照射可否を決定し該照射可否を示す情報を出力することと、を実行するように構成されている。【０００７】
このような基板処理装置では、光学測定機構によって処理液へ光が照射される箇所よりも上流側の処理液に基づいて、処理液の色情報が、照射される光の波長を吸収し易い所定の色情報であるか否かが判定され、該判定結果に基づき処理液への光の照射可否が決定される。処理液の色と照射される光の波長帯との組み合わせによっては、処理液が光を吸収することにより処理液が変質するおそれがある。この点、処理液へ光を照射する前段階において、処理液の色情報が光の波長を吸収し易い所定の色情報であるか否かが判定されることにより、処理液が、照射される光によって変質するものであるか否かを判定することができる。そして、当該判定結果に基づき処理液への光の照射可否が決定され該照射可否を示す情報が出力されることによって、例えば、流路を流れる処理液が光学測定機構からの光によって変質するおそれがある場合には、光学測定機構からの光の照射を停止する等の対応が可能となり、処理液が変質することを適切に防止することができる。以上より、本開示によれば、処理液に対して光を照射する構成において、何らかのミスにより通常とは異なる処理液が流れてきた場合等においても、処理液が変質することを適切に防止することができる。【０００８】
色情報取得機構は、測色計又は撮像装置を有していてもよい。色情報取得機構が測色計又は撮像装置を有していることにより、処理液の色情報を適切に把握することができる。【０００９】
色情報取得機構は、光学測定機構から処理液に照射される光の波長と近似する波長の判別用光を処理液に照射する照射部を有し、制御部は、照射部によって処理液に照射された判別用光が処理液において一定以上吸収された場合に、処理液の色情報が、光学測定機構によって照射される光の波長を吸収し易い所定の色情報であると判定してもよい。判別用光が処理液において一定以上吸収される場合には、該判別用光と波長が近似する、光学測定機構から処理液に照射される光についても、処理液に吸収されやすいと考えられる。このため、判別用光が前記処理液において一定以上吸収された場合に、処理液の色情報が、光学測定機構によって照射される光の波長を吸収し易い所定の色情報であると判定し、処理液への光の照射が不可であると決定することにより、上述した照射可否の決定を簡易且つ高精度に行うことができる。【００１０】
照射部は、判別用光として、光学測定機構から処理液に照射される光よりも長波長の光を照射してもよい。判別用光を長波長の光、すなわちエネルギーの低い光とすることにより、判別用光を照射する段階（判定段階）において、処理液が変質することを抑制できる。【００１１】
色情報取得機構は、光学測定機構から処理液に照射される光よりも照射強度が低い判別用光を処理液に照射する照射部を有していてもよい。これにより、判別用光を照射する段階（判定段階）において、処理液が変質することを抑制できる。【００１２】
照射部は、複数パターンの波長の判別用光を処理液に照射してもよい。これにより、処理液が吸収しやすい波長帯をより細かく特定することができる。【００１３】
制御部は、処理液への光の照射が不可であると決定した場合において、照射可否を示す情報として、処理液の色が異常である旨を示す警告、及び、処理中の基板を特定する情報を出力してもよい。これにより、当該照射可否を示す情報に基づき、処理液の変質を防ぐ処理を適切に実行することができる。【００１４】
制御部は、処理液への光の照射が不可であると決定した場合において、光学測定機構による光の出力を遮断する遮断制御、新たな基板の搬入を停止する搬入停止制御、流路への処理液の送液を停止する送液停止制御、及び、流路を流れる処理液を廃棄する排液制御の少なくともいずれか一つを更に実行するように構成されていてもよい。これにより、処理液の変質及び処理液の変質の影響が基板に及ぶことを適切に防止することができる。すなわち、遮断制御が行われることにより処理液に対して光が照射されないこととなるため処理液の変質を防止できる。また、搬入停止制御が行われることにより、変質した処理液が基板に塗布されることを防止できる。また、送液停止制御が行われることにより、光の照射によって変質するおそれのある処理液が送液されることを防止できる。また、排液制御が行われることにより、変質するおそれがある処理液を適切に廃棄することができる。【００１５】
本開示の一態様に係る基板処理方法は、流路を流れる基板の処理液の色情報を取得することと、処理液の色情報が、光学測定機構から処理液に対して照射される光の波長を吸収し易い所定の色情報であるか否かを判定することと、所定の色情報でないと判定された場合にのみ、光学測定機構から処理液に対して光を照射し、該光の変化に基づき処理液の状態を取得することと、を含む。【００１６】
処理液の色情報を取得することは、光学測定機構から処理液に照射される光の波長と近似する波長の判別用光を処理液に照射することによって行われ、所定の色情報であるか否かを判定することは、判別用光が処理液において一定以上吸収された場合に、処理液の色情報が所定の色情報であると判定することによって行われる。【００１７】
本開示の一態様に係る記録媒体は、上述した基板処理方法を基板処理機構に実行させるためのプログラムを記録した、コンピュータ読み取り可能な記録媒体である。
【発明の効果】
【００１８】
本開示に係る基板処理装置、基板処理方法、及びコンピュータ読み取り可能な記録媒体によれば、処理液に対して光を照射する構成において、処理液が変質することを適切に防止することができる。
【図面の簡単な説明】
【００１９】
【図１】図１は、基板処理システムを示す斜視図である。
【図２】図２は、図１のＩＩ−ＩＩ線断面図である。
【図３】図３は、図２のＩＩＩ−ＩＩＩ線断面図である。
【図４】図４は、塗布ユニットを示す模式図である。
【図５】図５は、本実施形態に係る液供給システムを示す図である。
【図６】図６は、本実施形態に係る塗布液の変質防止構成を模式的に示す図である。
【図７】図７は、本実施形態に係る第１レーザユニットの概略構成図である。
【図８】図８は、コントローラのハードウェア構成図である。
【図９】図９は、基板処理手順のフローチャートである。
【図１０】図１０は、変形例に係る塗布液の変質防止構成を模式的に示す図である。
【発明を実施するための形態】
【００２０】
本発明の実施形態について図面を参照して説明するが、以下の本実施形態は、本発明を説明するための例示であり、本発明を以下の内容に限定する趣旨ではない。説明において、同一要素又は同一機能を有する要素には同一符号を用いることとし、重複する説明は省略する。
【００２１】
［基板処理システムの構成］
基板処理システム１は、塗布・現像装置２と露光装置３とを備える。露光装置３は、レジスト膜の露光処理を行う。具体的には、液浸露光等の方法によりレジスト膜（感光性被膜）の露光対象部分にエネルギー線を照射する。エネルギー線としては、例えばＡｒＦエキシマレーザー、ＫｒＦエキシマレーザー、ｇ線、ｉ線又は極端紫外線（ＥＵＶ：Extreme Ultraviolet）が挙げられる。
【００２２】
塗布・現像装置２（基板処理装置）は、露光装置３による露光処理の前に、ウエハＷ（基板）の表面にレジスト膜を形成する処理を行い、露光処理後にレジスト膜の現像処理を行う。本実施形態において、ウエハＷは円板状を呈するが、円形の一部が切り欠かれていたり、多角形などの円形以外の形状を呈するウエハを用いてもよい。ウエハＷは、例えば、半導体基板、ガラス基板、マスク基板、ＦＰＤ（Flat Panel Display）基板その他の各種基板であってもよい。
【００２３】
図１〜図３に示すように、塗布・現像装置２は、キャリアブロック４と、処理ブロック５と、インターフェースブロック６と、コントローラ１００（制御部）とを備える。キャリアブロック４、処理ブロック５及びインターフェースブロック６は、水平方向に並んでいる。
【００２４】
キャリアブロック４は、キャリアステーション１２と搬入・搬出部１３とを有する。搬入・搬出部１３は、キャリアステーション１２と処理ブロック５との間に介在している。キャリアステーション１２は、複数のキャリア１１を支持する。キャリア１１は、例えば円形の複数枚のウエハＷを密封状態で収容し、ウエハＷを出し入れするための開閉扉（不図示）を側面１１ａ側に有する。キャリア１１は、側面１１ａが搬入・搬出部１３側に面するように、キャリアステーション１２上に着脱自在に設置される。搬入・搬出部１３は、キャリアステーション１２上の複数のキャリア１１にそれぞれ対応する複数の開閉扉１３ａを有する。側面１１ａの開閉扉と開閉扉１３ａとを同時に開放することで、キャリア１１内と搬入・搬出部１３内とが連通する。搬入・搬出部１３は受け渡しアームＡ１を内蔵している。受け渡しアームＡ１は、キャリア１１からウエハＷを取り出して処理ブロック５に渡し、処理ブロック５からウエハＷを受け取ってキャリア１１内に戻す。
【００２５】
処理ブロック５は、ＢＣＴモジュール（下層膜形成モジュール）１４と、ＣＯＴモジュール（レジスト膜形成モジュール）１５と、ＴＣＴモジュール（上層膜形成モジュール）１６と、ＤＥＶモジュール（現像処理モジュール）１７とを有する。これらのモジュールは、床面側からＤＥＶモジュール１７、ＢＣＴモジュール１４、ＣＯＴモジュール１５、ＴＣＴモジュール１６の順に並んでいる。
【００２６】
ＢＣＴモジュール１４は、ウエハＷの表面上に下層膜を形成するように構成されている。ＢＣＴモジュール１４は、複数の塗布ユニット（不図示）と、複数の熱処理ユニット（不図示）と、これらのユニットにウエハＷを搬送する搬送アームＡ２とを内蔵している。塗布ユニットは、下層膜形成用の塗布液をウエハＷの表面に塗布するように構成されている。熱処理ユニットは、例えば熱板によりウエハＷを加熱し、加熱後のウエハＷを例えば冷却板により冷却して熱処理を行うように構成されている。ＢＣＴモジュール１４において行われる熱処理の具体例としては、塗布液を硬化させるための加熱処理が挙げられる。
【００２７】
ＣＯＴモジュール１５は、下層膜上に熱硬化性且つ感光性のレジスト膜を形成するように構成されている。ＣＯＴモジュール１５は、複数の塗布ユニットＵ１と、複数の熱処理ユニットＵ２と、これらのユニットにウエハＷを搬送する搬送アームＡ３とを内蔵している。塗布ユニットＵ１は、レジスト膜形成用の塗布液（レジスト剤）を下層膜の上に塗布するように構成されている。熱処理ユニットＵ２は、例えば熱板によりウエハＷを加熱し、加熱後のウエハＷを例えば冷却板により冷却して熱処理を行うように構成されている。ＣＯＴモジュール１５において行われる熱処理の具体例としては、塗布液を硬化させるための加熱処理（ＰＡＢ：Pre Applied Bake）が挙げられる。
【００２８】
ＴＣＴモジュール１６は、レジスト膜上に上層膜を形成するように構成されている。ＴＣＴモジュール１６は、複数の塗布ユニット（不図示）と、複数の熱処理ユニット（不図示）と、これらのユニットにウエハＷを搬送する搬送アームＡ４とを内蔵している。塗布ユニットは、上層膜形成用の塗布液をウエハＷの表面に塗布するように構成されている。熱処理ユニットは、例えば熱板によりウエハＷを加熱し、加熱後のウエハＷを例えば冷却板により冷却して熱処理を行うように構成されている。ＴＣＴモジュール１６において行われる熱処理の具体例としては、塗布液を硬化させるための加熱処理が挙げられる。
【００２９】
ＤＥＶモジュール１７は、露光されたレジスト膜の現像処理を行うように構成されている。ＤＥＶモジュール１７は、複数の現像ユニット（不図示）と、複数の熱処理ユニット（不図示）と、これらのユニットにウエハＷを搬送する搬送アームＡ５と、これらのユニットを経ずにウエハＷを搬送する直接搬送アームＡ６とを内蔵している。現像ユニットは、レジスト膜を部分的に除去してレジストパターンを形成するように構成されている。熱処理ユニットは、例えば熱板によりウエハＷを加熱し、加熱後のウエハＷを例えば冷却板により冷却して熱処理を行う。ＤＥＶモジュール１７において行われる熱処理の具体例としては、現像処理前の加熱処理（ＰＥＢ：Post Exposure Bake）、現像処理後の加熱処理（ＰＢ：Post Bake）等が挙げられる。
【００３０】
処理ブロック５内におけるキャリアブロック４側には棚ユニットＵ１０が設けられている。棚ユニットＵ１０は、床面からＴＣＴモジュール１６に亘るように設けられており、上下方向に並ぶ複数のセルに区画されている。棚ユニットＵ１０の近傍には昇降アームＡ７が設けられている。昇降アームＡ７は、棚ユニットＵ１０のセル同士の間でウエハＷを昇降させる。
【００３１】
処理ブロック５内におけるインターフェースブロック６側には棚ユニットＵ１１が設けられている。棚ユニットＵ１１は床面からＤＥＶモジュール１７の上部に亘るように設けられており、上下方向に並ぶ複数のセルに区画されている。
【００３２】
インターフェースブロック６は、受け渡しアームＡ８を内蔵しており、露光装置３に接続される。受け渡しアームＡ８は、棚ユニットＵ１１のウエハＷを取り出して露光装置３に渡し、露光装置３からウエハＷを受け取って棚ユニットＵ１１に戻すように構成されている。
【００３３】
コントローラ１００は、一つ又は複数の制御用コンピュータにより構成され、塗布・現像装置２を制御する。コントローラ１００は、制御条件の設定画面を表示する表示部（不図示）と、制御条件を入力する入力部（不図示）と、コンピュータ読み取り可能な記録媒体からプログラムを読み取る読取部（不図示）とを有する。記録媒体は、塗布・現像装置２に処理を実行させるためのプログラムを記録している。このプログラムがコントローラ１００の読取部によって読み取られる。記録媒体としては、例えば、半導体メモリ、光記録ディスク、磁気記録ディスク、光磁気記録ディスクであってもよい。コントローラ１００は、入力部に入力された制御条件と、読取部により読み取られたプログラムとに応じて塗布・現像装置２を制御する。
【００３４】
［塗布ユニットの構成］
続いて、図４を参照して、塗布ユニットＵ１についてさらに詳しく説明する。塗布ユニットＵ１は、図４に示されるように、回転保持部２０と、駆動部３０と、液供給システム４０とを備える。
【００３５】
回転保持部２０は、回転部２１と、保持部２３とを有する。回転部２１は、上方に突出したシャフト２２を有する。回転部２１は、例えば電動モータ等を動力源としてシャフト２２を回転させる。保持部２３は、シャフト２２の先端部に設けられている。保持部２３上には、ウエハＷが水平に配置される。保持部２３は、例えば吸着等によりウエハＷを略水平に保持する。すなわち、回転保持部２０は、ウエハＷの姿勢が略水平の状態で、ウエハＷの表面に対して垂直な軸（回転軸）周りでウエハＷを回転させる。本実施形態では、回転軸は、円形状を呈するウエハＷの中心を通っているので、中心軸でもある。本実施形態では、図４に示されるように、回転保持部２０は、上方から見て時計回りにウエハＷを回転させる。
【００３６】
駆動部３０は、ノズルＮを駆動するように構成されている。駆動部３０は、ガイドレール３１と、スライドブロック３２と、アーム３３とを有する。ガイドレール３１は、回転保持部２０（ウエハＷ）の上方において水平方向に沿って延びている。スライドブロック３２は、ガイドレール３１に沿って水平方向に移動可能となるように、ガイドレール３１に接続されている。アーム３３は、スライドブロック３２とノズルＮとを接続している。ノズルＮは、アーム３３の下端に配置されている。駆動部３０は、例えば電動モータ等を動力源として、スライドブロック３２を移動させ、これに伴ってノズルＮを移動させる。平面視において、ノズルＮは、ウエハＷの回転軸に直交する直線上を、ウエハＷの径方向に沿って移動する。
【００３７】
液供給システム４０は、コントローラ１００からの制御信号を受けて塗布液（処理液）を、ノズルＮからウエハＷの表面Ｗａに吐出させる。ノズルＮは、ウエハＷの表面Ｗａに向けて下方に開口している。塗布液は、ウエハＷの表面Ｗａに塗布膜Ｒ（図４参照）を形成するために用いられる液である。塗布液としては、例えば、レジストパターンを形成するためのレジスト液や、反射防止膜（例えば、下層反射防止コーティング（ＢＡＲＣ）膜、シリコン含有反射防止コーティング（ＳｉＡＲＣ）膜）を形成するための液などが挙げられる。ウエハＷの表面Ｗａに吐出された塗布液が乾燥すると、図４に示されるように、ウエハＷの表面Ｗａに塗布膜Ｒが形成される。液供給システム４０の詳細については後述する。
【００３８】
［液供給システムの詳細な構成及びコントローラの機能］
液供給システム４０の詳細な構成、及び、液供給システム４０を制御するコントローラ１００の機能について、図５を参照して説明する。
【００３９】
液供給システム４０は、液ボトルＢと、液タンクＬＥと、ポンプ装置Ｐ１と、フィルタ装置Ｆ１と、配管Ｄ１〜Ｄ６（流路）と、バルブＶと、三方弁Ｖｔ１〜Ｖｔ３と、第１レーザユニット５０（光学測定機構）と、第２レーザユニット６０（色情報取得機構）と、キュベット１５０，１６０とを備える。
【００４０】
配管Ｄ１の上流端は、Ｎ２ガス源に接続されている。配管Ｄ１の下流端は、液ボトルＢの上蓋近傍に位置するように、液ボトルＢの上蓋部分に接続されている。液ボトルＢは、塗布液の供給源として機能する。
【００４１】
配管Ｄ２の上流端は、液ボトルＢの下底近傍に位置するように、液ボトルＢの上蓋部分に接続されている。配管Ｄ２の下流端は、液タンクＬＥの上蓋寄りに位置するように、液タンクＬＥの上蓋部分に接続されている。配管Ｄ２上には、キュベット１６０が設けられている。液タンクＬＥは、液ボトルＢから排出された塗布液を一時的に貯留する貯留部として機能する。
【００４２】
配管Ｄ３（送液ラインの一形態）の上流端は、液タンクＬＥの下底部分に接続されている。配管Ｄ３の下流端は、ノズルＮに接続されている。配管Ｄ３上には、上流側から順に、フィルタ装置Ｆ１、三方弁Ｖｔ１、ポンプ装置Ｐ１、三方弁Ｖｔ２、キュベット１５０、バルブＶ、及び三方弁Ｖｔ３が設けられている。
【００４３】
フィルタ装置Ｆ１は、塗布液に含まれるパーティクルなどの異物を除去する。ポンプ装置Ｐ１は、液タンクＬＥ内の塗布液を吸引してノズルＮに向けて送り出す。バルブＶは、空気を利用して弁を開閉（オン／オフ）させるエアオペレートバルブである。バルブＶは、弁の開放時にノズルＮから塗布液を吐出させると共に、弁の閉鎖時にノズルＮからの塗布液の吐出を停止させる。バルブＶは、ノズルＮから吐出される塗布液の流量を所定の大きさに制御する機能を有していてもよい。バルブＶは、ノズルＮからの塗布液の吐出を停止させる際に、ノズルＮに塗布液が滞留しないようノズルＮ内の塗布液を吸引する機能（サックバック機能）を有していてもよい。
【００４４】
配管Ｄ３は、部分Ｄ３ａ〜Ｄ３ｄを有する。部分Ｄ３ａは、液タンクＬＥとフィルタ装置Ｆ１との間で延びている。部分Ｄ３ｂは、三方弁Ｖｔ１とポンプ装置Ｐ１との間で延びている。部分Ｄ３ｃは、三方弁Ｖｔ２とバルブＶとの間で延びている。部分Ｄ３ｄは、三方弁Ｖｔ３とノズルＮとの間で延びている。
【００４５】
三方弁Ｖｔ１は、フィルタ装置Ｆ１の出口側（下流側）に設けられている。三方弁Ｖｔ１は、フィルタ装置Ｆ１と部分Ｄ３ｂとの間において液体の流通を可能とさせつつフィルタ装置Ｆ１及び部分Ｄ３ｂと配管Ｄ４との間における液体の流通を阻止する状態と、フィルタ装置Ｆ１と配管Ｄ４との間において液体の流通を可能とさせつつ部分Ｄ３ｂとフィルタ装置Ｆ１及び配管Ｄ４との間における液体の流通を阻止する状態との間で動作する。
【００４６】
三方弁Ｖｔ２は、ポンプ装置Ｐ１の出口側（下流側）に設けられている。三方弁Ｖｔ２は、ポンプ装置Ｐ１と部分Ｄ３ｃとの間において液体の流通を可能とさせつつポンプ装置Ｐ１及び部分Ｄ３ｃと配管Ｄ５との間における液体の流通を阻止する状態と、ポンプ装置Ｐ１と配管Ｄ５との間において液体の流通を可能とさせつつ部分Ｄ３ｃとポンプ装置Ｐ１及び配管Ｄ５との間における液体の流通を阻止する状態との間で動作する。
【００４７】
三方弁Ｖｔ３は、バルブＶの出口側（下流側）に設けられている。三方弁Ｖｔ３は、バルブＶと部分Ｄ３ｄとの間において液体の流通を可能とさせつつバルブＶ及び部分Ｄ３ｄと配管Ｄ６との間における液体の流通を阻止する状態と、バルブＶと配管Ｄ６との間において液体の流通を可能とさせつつ部分Ｄ３ｄとバルブＶ及び配管Ｄ６との間における液体の流通を阻止する状態との間で動作する。
【００４８】
配管Ｄ４の上流端は、三方弁Ｖｔ１に接続されている。配管Ｄ５の上流端は、三方弁Ｖｔ２に接続されている。配管Ｄ６の上流端は、三方弁Ｖｔ３に接続されている。配管Ｄ４〜Ｄ６を流れる液体はそれぞれ、配管Ｄ４〜Ｄ６を通じて系外（システム外）に排出される。
【００４９】
キュベット１５０は、部分Ｄ３ｃに設けられ、部分Ｄ３ｃを流れる塗布液の流路部であって、後述する第１レーザユニット５０からのレーザ光を透過する。キュベット１６０は、配管Ｄ２に設けられ、配管Ｄ２を流れる塗布液の流路部であって、後述する第２レーザユニット６０からのレーザ光を透過する。キュベット１５０，１６０は、レーザ光を透過できるように例えば透明な石英により構成されている。
【００５０】
液供給システム４０は、図６に示すように、第１レーザユニット５０から、配管（詳細には部分Ｄ３ｃ）を流れる塗布液にレーザ光を照射する。液供給システム４０では、塗布液を透過したレーザ光の強度から、塗布液に含まれる異物（パーティクル又は気泡等）の状態を推定する。異物の状態とは、例えば、異物の粒径、異物の数、及び異物の種別を示す情報である。例えば、取得されたレーザ光の強度が小さい場合には、異物の粒径が大きい又は異物の数が多いと推定される。
【００５１】
ここで、塗布液の色とレーザ光の波長帯との組み合わせによっては、塗布液がレーザ光を吸収することにより塗布液が変質（発光・発熱・化学変化等を伴う変化）するおそれがある。このことは、第１レーザユニット５０から塗布液にレーザ光が照射される前に、塗布液の色情報を把握することにより回避することが可能となる（詳細は後述）。塗布液の色情報を把握するための構成として、液供給システム４０では、図６に示すように、第１レーザユニット５０から塗布液にレーザ光が照射される箇所よりも上流において、第２レーザユニット６０から塗布液にレーザ光が照射される構成を採用している。第２レーザユニット６０から照射されるレーザ光は、第１レーザユニット５０から照射されるレーザ光と波長が近似したレーザ光とされる。このため、第２レーザユニット６０から塗布液に照射されたレーザ光の吸収度合いが高い（例えば塗布液がレーザ光を透過しない）場合には、当該塗布液が、第１レーザユニット５０から照射されるレーザ光を吸収しやすい（第１レーザユニット５０からのレーザ光によっては変質しやすい）と推定することができる。一方、第２レーザユニット６０から塗布液に照射されたレーザ光の吸収度合いが低い（例えば塗布液がレーザ光を透過する）場合には、当該塗布液が、第１レーザユニット５０から照射されるレーザ光を吸収しにくい（第１レーザユニット５０からのレーザ光によっては変質しにくい）と推定することができる。以下では、第１レーザユニット５０、第２レーザユニット６０、及び液供給システム４０を制御するコントローラ１００の機能の詳細について説明する。
【００５２】
図５に戻り、第１レーザユニット５０は、配管Ｄ３の部分Ｄ３ｃを流れる塗布液に対してレーザ光を照射し、該光の変化に基づき塗布液の状態を取得する。図５に示すように、第１レーザユニット５０は、レーザ光を透過するキュベット１５０にレーザ光を照射することにより、該キュベット１５０を介して塗布液にレーザ光を照射する。第１レーザユニット５０から照射されるレーザ光の波長は例えば５３２ナノメートルである。また、第１レーザユニット５０から照射されるレーザ光の照射強度は例えば８００Ｗ程度とされる。第１レーザユニット５０から照射されるレーザ光の波長及びエネルギーは一例であり、これに限定されるものではない。
【００５３】
第１レーザユニット５０のより詳細な構成について、図７を参照して説明する。第１レーザユニット５０は、光源５１と、シャッタ５２と、ファイバ５３と、コリメータ５４と、対物レンズ５５と、受光用レンズ５６と、受光素子５７とを有している。光源５１は、レーザ光を照射する光供給部である。光源５１から出射されたレーザ光はファイバ５３に導光される。ファイバ５３の下端にはコリメータ５４が設けられている。シャッタ５２は、ファイバ５３の上流側と下流側との間の光路を遮蔽する遮蔽位置（図７中の二点鎖線で示した位置）と、当該光路から退避する開放位置（図７中の実線で示した位置）との間で移動し、当該光路を開閉する。第１レーザユニット５０では、コントローラ１００の制御に応じてアクチュエータがシャッタ５２を移動させることにより、上記光路の開閉が行われる。コリメータ５４から出射された平行光は集光レンズである対物レンズ５５を経てキュベット１５０（すなわちキュベット１５０を流れる塗布液）に照射される。キュベット１５０に照射された光は受光用レンズ５６を介して受光素子５７に導光される。受光素子５７は、受信した光に応じた電気信号をコントローラ１００に出力する。このような構成によれば、キュベット１５０を流れる塗布液中の異物の状体に応じて受光素子５７から出力される電気信号が変化することになるため、当該電気信号に応じて塗布液の状態（どの程度異物を含むか等）を把握することができる。
【００５４】
図５に戻り、第２レーザユニット６０は、配管Ｄ２を流れる塗布液に対してレーザ光（判別用光）を照射することにより、塗布液の色情報を取得する。塗布液の色情報とは、例えば、塗布液が、第２レーザユニット６０から照射されるレーザ光を吸収しやすい色であるか否かを示す情報である。図５に示すように、第２レーザユニット６０は、レーザ光を透過するキュベット１６０にレーザ光を照射することにより、該キュベット１６０を介して塗布液にレーザ光を照射する。第２レーザユニット６０は、光源６１（照射部）を有している。光源６１は、レーザ光を照射する光供給部である。光源６１は、第１レーザユニット５０から塗布液に照射されるレーザ光の波長と近似する波長のレーザ光を塗布液に照射し、より詳細には、第１レーザユニット５０から塗布液に照射されるレーザ光の波長よりも長波長の光を照射する。光源６１は、例えば第１レーザユニット５０から照射されるレーザ光の波長が５３２ナノメートルである場合に、６００〜８００ナノメートル程度のレーザ光を照射してもよい。また、光源６１は、第１レーザユニット５０から塗布液に照射されるレーザ光よりも照射強度が低いレーザ光を塗布液に照射してもよい。光源６１は、例えば第１レーザユニット５０から照射されるレーザ光の照射強度が１Ｗである場合に、１００ｍＷ程度の照射強度のレーザ光を照射してもよい。
【００５５】
第２レーザユニット６０は、図７に示す第１レーザユニット５０と同様の構成を有している。すなわち、第２レーザユニット６０は、光源６１に加えて、シャッタ、ファイバ、コリメータ、対物レンズ、受光用レンズ、及び受光素子等の構成（いずれも不図示）を有している。このような構成によれば、キュベット１６０を流れる塗布液のレーザ光の吸収度合いに応じて、受光素子からコントローラ１００に出力される電気信号が変化することとなる。このため、当該電気信号に応じて塗布液の色情報（例えば、塗布液が判別用光を吸収しやすい色であるか否かを示す情報）を把握することができる。なお、上述したように、判別用光としては、第１レーザユニット５０から塗布液に照射されるレーザ光の波長と近似する波長のレーザ光が用いられるため、「塗布液が、判別用光を吸収しやすい」とは、「塗布液が、第１レーザユニット５０から塗布液に照射されるレーザ光を吸収しやすい」と同義である。すなわち、第２レーザユニット６０の受光素子から出力される電気信号に基づいて、塗布液が、第１レーザユニット５０から塗布液に照射されるレーザ光を吸収しやすいか否かを把握することができる。第２レーザユニット６０は、以下で説明するコントローラ１００と共に照射可否決定機構を構成している。すなわち、第２レーザユニット６０及びコントローラ１００は、配管（流路）における、第１レーザユニット５０から塗布液にレーザ光が照射される箇所よりも上流の塗布液（具体的には配管Ｄ２を流れる塗布液）に基づき、第１レーザユニット５０による塗布液へのレーザ光の照射可否を決定する照射可否決定機構を構成する。
【００５６】
コントローラ１００は、塗布液の色情報が、第１レーザユニット５０によって照射されるレーザ光の波長を吸収し易い所定の色情報であるか否かを判定することと、判定結果に基づき塗布液へのレーザ光の照射可否を決定し該照射可否を示す情報を出力することと、を実行するように構成されている。
【００５７】
また、コントローラ１００は、第２レーザユニット６０の光源６１によって塗布液に照射されたレーザ光（判別用光）が塗布液において一定以上吸収された場合に、塗布液の色情報が、第１レーザユニット５０によって照射されるレーザ光の波長を吸収し易い所定の色情報であると判定する。
【００５８】
また、コントローラ１００は、塗布液へのレーザ光の照射が不可であると決定した場合において、照射可否を示す情報として、塗布液の色が異常である旨を示す警告、及び、処理中のウエハＷを特定する情報を出力してもよい。
【００５９】
また、コントローラ１００は、塗布液へのレーザ光の照射が不可であると決定した場合において、第１レーザユニット５０によるレーザ光の出力を遮断する遮断制御、新たな基板の搬入を停止する搬入停止制御、前記流路への前記処理液の送液を停止する送液停止制御、及び、前記流路を流れる前記処理液を廃棄する排液制御を更に実行するように構成されていてもよい。
【００６０】
図５に示すように、コントローラ１００は、機能モジュールとして判定部１０１と、出力部１０２と、遮断制御部１０３と、搬入停止制御部１０４と、送液停止制御部１０５と、排液制御部１０６とを有する。
【００６１】
判定部１０１は、塗布液の色情報が、第１レーザユニット５０によって照射されるレーザ光の波長を吸収し易い所定の色情報であるか否かを判定する。判定部１０１は、第２レーザユニット６０の光源６１によって塗布液に照射されたレーザ光（判別用光）が塗布液において一定以上吸収された場合に、塗布液の色情報が、第１レーザユニット５０によって照射されるレーザ光の波長を吸収し易い所定の色情報であると判定する。判定部１０１は、第２レーザユニット６０の受光素子から、電気信号を受信する。当該電気信号は、例えば、塗布液におけるレーザ光の吸収度合いが大きいほど小さな信号となり、吸収度合いが小さいほど大きな信号となる。このため、判定部１０１は、第２レーザユニット６０の受光素子から送信される電気信号に基づき、塗布液におけるレーザ光の吸収度合いを特定することができる。判定部１０１は、吸収度合いが所定値よりも大きい塗布液について、第１レーザユニット５０によって照射されるレーザ光の波長を吸収し易い所定の色情報を有する塗布液である（すなわち、第１レーザユニット５０のレーザ光によって変質する塗布液である）と判定する。
【００６２】
出力部１０２は、判定部１０１の判定結果に基づき、第１レーザユニット５０による塗布液へのレーザ光の照射可否を決定し、該照射可否を示す情報を出力する。出力部１０２は、判定結果において、塗布液の色情報が、第１レーザユニット５０によって照射されるレーザ光の波長を吸収し易い所定の色情報であると判定されている場合に照射不可と決定し、所定の色情報でないと判定されている場合に照射可と決定する。出力部１０２は、照射可否を示す情報を、少なくとも、遮断制御部１０３、搬入停止制御部１０４、送液停止制御部１０５、及び排液制御部１０６に出力する。出力部１０２は、照射可否を示す情報として、例えば、塗布液の色が異常である旨を示す警告、及び、処理中のウエハＷを特定する情報を出力する。
【００６３】
遮断制御部１０３は、出力部１０２によって照射不可であると決定された場合において、第１レーザユニット５０によるレーザ光の出力を遮断する遮断制御を実行する。具体的には、遮断制御部１０３は、第１レーザユニット５０のシャッタ５２がファイバ５３の光路を遮蔽する位置に移動するように、第１レーザユニット５０のアクチュエータを制御する。
【００６４】
搬入停止制御部１０４は、出力部１０２によって照射不可であると決定された場合において、新たなウエハＷの搬入を停止する搬入停止制御を実行する。具体的には、搬入停止制御部１０４は、新たなウエハＷが塗布ユニットＵ１に搬入されないように、搬送アームＡ３（図３参照）のアクチュエータを制御する。
【００６５】
送液停止制御部１０５は、出力部１０２によって照射不可であると決定された場合において、ノズルＮへ向かう流路である配管Ｄ３の部分Ｄ３ｄへの塗布液の送液を停止する送液停止制御を実行する。具体的には、送液停止制御部１０５は、バルブＶの弁を閉鎖するように制御することにより、配管Ｄ３の部分Ｄ３ｄへの塗布液の送液を停止し、ノズルＮからの塗布液の吐出を停止させる。
【００６６】
排液制御部１０６は、出力部１０２によって照射不可であると決定された場合において、配管Ｄ３を流れる塗布液を廃棄する排液制御を実行する。具体的には、排液制御部１０６は、フィルタ装置Ｆ１と配管Ｄ４との間においてフィルタ装置Ｆ１からの塗布液が配管Ｄ４から廃棄されるように三方弁Ｖｔ１を動作させる。また、排液制御部１０６は、ポンプ装置Ｐ１と配管Ｄ５との間においてポンプ装置Ｐ１からの塗布液が配管Ｄ５から廃棄されるように三方弁Ｖｔ２を動作させる。また、排液制御部１０６は、バルブＶと配管Ｄ６との間においてバルブＶからの塗布液が配管Ｄ６から廃棄されるように三方弁Ｖｔ３を動作させる。
【００６７】
コントローラ１００は、一つ又は複数の制御用コンピュータにより構成される。例えばコントローラ１００は、図８に示す回路１２０を有する。回路１２０は、一つ又は複数のプロセッサ１２１と、メモリ１２２と、ストレージ１２３と、入出力ポート１２４と、タイマー１２５とを有する。
【００６８】
入出力ポート１２４は、第１レーザユニット５０、第２レーザユニット６０、搬送アームＡ３、三方弁Ｖｔ１〜Ｖｔ３、及びバルブＶ等との間で電気信号の入出力を行う。タイマー１２５は、例えば一定周期の基準パルスをカウントすることで経過時間を計測する。ストレージ１２３は、例えばハードディスク等、コンピュータによって読み取り可能な記録媒体を有する。記録媒体は、後述の基板処理手順を実行させるためのプログラムを記録している。記録媒体は、不揮発性の半導体メモリ、磁気ディスク及び光ディスク等の取り出し可能な媒体であってもよい。メモリ１２２は、ストレージ１２３の記録媒体からロードしたプログラム及びプロセッサ１２１による演算結果を一時的に記録する。プロセッサ１２１は、メモリ１２２と協働して上記プログラムを実行することで、上述した各機能モジュールを構成する。
【００６９】
なお、コントローラ１００のハードウェア構成は、必ずしもプログラムにより各機能モジュールを構成するものに限られない。例えばコントローラ１００の各機能モジュールは、専用の論理回路又はこれを集積したＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成されていてもよい。
【００７０】
（基板処理手順）
次に、基板処理方法の一例として、上述した塗布液の色情報の判定等を含む基板処理手順を説明する。図９に示すように、コントローラ１００は、ステップＳ１，Ｓ２，Ｓ３，Ｓ４，Ｓ５，Ｓ６，Ｓ７を順に実行する。
【００７１】
ステップＳ１では、判定部１０１が、第２レーザユニット６０から、塗布液の色情報を取得する。塗布液の色情報とは、塗布液における判別用光の吸収度合いに基づいて第２レーザユニット６０で特定されている情報であり、塗布液が判別用光（及び、第１レーザユニット５０から照射されるレーザ光）を吸収しやすい色であるか否かを示す情報である。
【００７２】
ステップＳ２では、判定部１０１が、取得した塗布液の色情報に基づき、当該塗布液が第１レーザユニット５０から照射されるレーザ光によって変質する塗布液であるか否かを判定する。すなわち、判定部１０１は、塗布液の色情報が、第１レーザユニット５０から照射されるレーザ光の波長を吸収し易い所定の色情報であるか否かを判定する。ステップＳ２において、塗布液が第１レーザユニット５０から照射されるレーザ光によって変質しない塗布液であると判定された場合には、第１レーザユニット５０からレーザ光が照射可能であると判断され、処理を終了する。一方で、ステップＳ２において、塗布液が第１レーザユニット５０から照射されるレーザ光によって変質する塗布液であると判定された場合には、第１レーザユニット５０からレーザ光が照射不可であると判断され、照射不可であることを示す情報が出力される。つづいて、ステップＳ３〜Ｓ７が順に実行される。
【００７３】
ステップＳ３では、遮断制御部１０３が、第１レーザユニット５０からのレーザ光の出力が遮断される（レーザＯＦＦとなる）ように、遮断制御を実行する。具体的には、遮断制御部１０３は、第１レーザユニット５０のシャッタ５２がファイバ５３の光路を遮蔽する位置に移動するように、第１レーザユニット５０のアクチュエータを制御する。
【００７４】
ステップＳ４では、出力部１０２が、エラー情報を出力（エラー発報）する。具体的には、出力部１０２は、塗布液の色情報（レーザ光の吸収度合い）に応じて、塗布液が異種薬液である疑いがあること、及び、第１レーザユニット５０（メインレーザ）での正常測定が不可であること等を報知する。また、第１レーザユニット５０からのレーザ光の出力遮断が完了していない場合（レーザＯＮの場合）には、出力部１０２は、塗布液が変質する可能性がある旨を報知する。
【００７５】
ステップＳ５では、送液停止制御部１０５が、送液機能を停止する送液停止制御を実行する。具体的には、送液停止制御部１０５は、バルブＶの弁を閉鎖するように制御することにより、配管Ｄ３の部分Ｄ３ｄへの塗布液の送液を停止し、ノズルＮからの塗布液の吐出を停止させる。
【００７６】
ステップＳ６では、排液制御部１０６が、流路を切り替えるライン切り替えを行い、配管Ｄ３を流れる塗布液を廃棄する排液制御を実行する。具体的には、排液制御部１０６は、フィルタ装置Ｆ１と配管Ｄ４との間において塗布液の流通が可能なフィルタ装置Ｆ１からの塗布液が配管Ｄ４から廃棄されるように三方弁Ｖｔ１を動作させる。また、排液制御部１０６は、ポンプ装置Ｐ１と配管Ｄ５との間においてポンプ装置Ｐ１からの塗布液が配管Ｄ５から廃棄されるように三方弁Ｖｔ２を動作させる。また、排液制御部１０６は、バルブＶと配管Ｄ６との間においてバルブＶからの塗布液が配管Ｄ６から廃棄されるように三方弁Ｖｔ３を動作させる。
【００７７】
ステップＳ７では、搬入停止制御部１０４が、新たなウエハＷの搬入が停止されるように搬入停止制御を実行する。具体的には、搬入停止制御部１０４は、新たなウエハＷが塗布ユニットＵ１に搬入されないように、搬送アームＡ３（図３参照）のアクチュエータを制御する。
【００７８】
なお、上述したステップＳ３〜Ｓ７は、必ずしも全て実行されなくてもよいし、上述した順序で実行されなくてもよい。例えば、バルブＶを制御することのみによって塗布液へのレーザ光の照射（第１レーザユニット５０からのレーザ光の照射）を回避できる場合には、ステップＳ３の遮断制御を行わなくてもよい。また、ステップＳ３の遮断制御を実行する場合においては、ステップＳ５の送液停止制御を必ずしも実行しなくてもよい。また、ステップＳ４後において、必ずしもステップＳ６の排液制御を行わなくてもよい。
【００７９】
〔本実施形態の効果〕
本実施形態に係る塗布・現像装置２は、配管Ｄ３を流れるウエハＷの塗布液に対してレーザ光を照射し、該レーザ光の変化に基づき塗布液の状態を取得する第１レーザユニット５０と、流路における、第１レーザユニット５０から塗布液にレーザ光が照射される箇所よりも塗布液の供給源である液ボトルＢ側の塗布液（具体的には配管Ｄ２を流れる塗布液）に基づき、第１レーザユニット５０による塗布液へのレーザ光の照射可否を決定する照射可否決定機構と、を備え、照射可否決定機構は、塗布液の色情報を取得する第２レーザユニット６０と、コントローラ１００と、を有し、コントローラ１００は、塗布液の色情報が、第１レーザユニット５０によって照射される光の波長を吸収し易い所定の色情報であるか否かを判定することと、判定結果に基づき塗布液へのレーザ光の照射可否を決定し該照射可否を示す情報を出力することと、を実行するように構成されている。
【００８０】
このような塗布・現像装置２では、第１レーザユニット５０によって塗布液へレーザ光が照射される箇所よりも上流側の塗布液に基づいて、塗布液の色情報が、照射されるレーザ光の波長を吸収し易い所定の色情報であるか否かが判定され、該判定結果に基づき塗布液へのレーザ光の照射可否が決定される。塗布液の色と照射されるレーザ光の波長帯との組み合わせによっては、塗布液が光を吸収することにより塗布液が変質するおそれがある。この点、塗布液へレーザ光を照射する前段階において、塗布液の色情報がレーザ光の波長を吸収し易い所定の色情報であるか否かが判定されることにより、塗布液が、照射されるレーザ光によって変質するものであるか否かを判定することができる。そして、当該判定結果に基づき塗布液へのレーザ光の照射可否が決定され該照射可否を示す情報が出力されることによって、例えば、流路を流れる塗布液が第１レーザユニット５０からのレーザ光によって変質するおそれがある場合には、第１レーザユニット５０からのレーザ光の照射を停止する等の対応が可能となり、塗布液が変質することを適切に防止することができる。
【００８１】
第２レーザユニット６０は、第１レーザユニット５０から塗布液に照射されるレーザ光の波長と近似する波長のレーザ光（判別用光）を塗布液に照射する光源６１を有し、コントローラ１００は、光源６１によって塗布液に照射された判別用光が塗布液において一定以上吸収された場合に、塗布液の色情報が、第１レーザユニット５０によって照射されるレーザ光の波長を吸収し易い所定の色情報であると判定する。判別用光が塗布液において一定以上吸収される場合には、該判別用光と波長が近似する、第１レーザユニット５０から塗布液に照射されるレーザ光についても、塗布液に吸収されやすいと考えられる。このため、判別用光が塗布液において一定以上吸収された場合に、塗布液の色情報が、第１レーザユニット５０によって照射されるレーザ光の波長を吸収し易い所定の色情報であると判定し、塗布液へのレーザ光の照射が不可であると決定することにより、上述した照射可否の決定を簡易且つ高精度に行うことができる。
【００８２】
第２レーザユニット６０の光源６１は、判別用光として、第１レーザユニット５０から塗布液に照射されるレーザ光よりも長波長のレーザ光を照射する。判別用光を長波長のレーザ光、すなわちエネルギーの低いレーザ光とすることにより、判別用光を照射する段階（判定段階）において、塗布液が変質することを抑制できる。
【００８３】
第２レーザユニット６０の光源６１は、第１レーザユニット５０から塗布液に照射されるレーザ光よりも照射強度が低い判別用光を塗布液に照射する。これにより、判別用光を照射する段階（判定段階）において、塗布液が変質することを抑制できる。
【００８４】
コントローラ１００は、塗布液へのレーザ光の照射が不可であると決定した場合において、照射可否を示す情報として、塗布液の色が異常である旨を示す警告、及び、処理中のウエハＷを特定する情報を出力する。これにより、当該照射可否を示す情報に基づき、塗布液の変質を防ぐ処理を適切に実行することができる。
【００８５】
コントローラ１００は、塗布液へのレーザ光の照射が不可であると決定した場合において、第１レーザユニット５０によるレーザ光の出力を遮断する遮断制御、新たなウエハＷの搬入を停止する搬入停止制御、流路への塗布液の送液を停止する送液停止制御、及び、流路を流れる塗布液を廃棄する排液制御の少なくともいずれか一つを更に実行するように構成されている。これにより、塗布液の変質、及び塗布液の変質の影響がウエハＷに及ぶことを適切に防止することができる。すなわち、遮断制御が行われることにより塗布液に対してレーザ光が照射されないこととなるため塗布液の変質を防止できる。また、搬入停止制御が行われることにより、変質した塗布液がウエハＷに塗布されることを防止できる。また、送液停止制御が行われることにより、レーザ光の照射によって変質するおそれのある処理液が送液されることを防止でき、プロセス不良を防止することができる。また、排液制御が行われることにより、変質するおそれがある処理液を適切に廃棄することができ、流路の下流側を異種塗布液で汚すことを防止することができる。
【００８６】
以上、本発明の実施形態について説明したが本発明は上記実施形態に限定されない。例えば、色情報取得機構として第２レーザユニット６０を用いるとして説明したがこれに限定されず、図１０に示すように、色情報取得機構として測色計２６０を用いてもよい。測色計２６０は、例えば塗布液の色を２５６色の中から一意に特定するものである。色情報取得機構として測色計２６０を用いる場合には、例えば予めＮＧ色（第１レーザユニット５０からのレーザ光を吸収しやすい色）を設定しておき、測色計２６０において特定された塗布液の色が当該ＮＧ色である場合に第１レーザユニット５０からのレーザ光の照射を停止してもよい。また、色情報取得機構として、測色計２６０に替えて撮像装置を用いてもよい。このように、測色計又は撮像装置により塗布液の色情報を取得することにより、簡易な構成によって塗布液の色情報を適切に把握することができる。
【００８７】
また、色情報取得機構としての第２レーザユニット６０の光源６１（照射部）は、複数パターンの波長のレーザ光（判別用光）を塗布液に照射するものであってもよい。第２レーザユニット６０の光源６１は、１か所に対して、波長を変えながら複数のレーザ光を照射してもよいし、複数個所に設けられてそれぞれの箇所で互いに波長が異なるレーザ光を照射してもよい。このように、複数パターンの波長のレーザ光が塗布液に照射されることにより、塗布液が吸収し易い波長帯をより細かく特定することができる。このことで、第１レーザユニット５０からのレーザ光の照射を停止するか否かの判断や、エラー情報の発報内容についてより精度を高くすることができる。
【符号の説明】
【００８８】
２…塗布・現像装置（基板処理装置）、５０…第１レーザユニット（光学測定機構）、６０…第２レーザユニット（色情報取得機構）、６１…光源（照射部）、１００…コントローラ（制御部）、２６０…測色計（色情報取得機構）、Ｂ…液ボトル（処理液の供給源）、Ｄ１-Ｄ６…配管（流路）、Ｗ…ウエハ。
【図１】
2019131226.tif 000003
【図２】
2019131226.tif 000004
【図３】
2019131226.tif 000005
【図４】
2019131226.tif 000006
【図５】
2019131226.tif 000007
【図６】
2019131226.tif 000008
【図７】
2019131226.tif 000009
【図８】
2019131226.tif 000010
【図９】
2019131226.tif 000011
【図１０】
2019131226.tif 000012
【国際調査報告】
2019131226.tif 000013
2019131226.tif 000014
2019131226.tif 000015
2019131226.tif 000016